(57)【要約】【課題】宝石や装飾のある指輪や結婚指輪、婚約指輪等をその形状に合わせた溝や蓋で動くことを防ぎ動くことから生じる指輪の傷から指輪を守り、ロック機能を持たせて指輪を紛失のリスクから守り、ネックレス等の取り付けられたものから取り外すことなく着脱を容易にし、宝石や装飾などをダメージから守りなおかつ宝石部分を見せることが出来るようにし、装飾品や衣服やバックなどに取り付けを可能にする指輪ホルダーを提供する。【解決手段】指輪のデザインにあった溝に指輪を入れ上蓋や溝で動指輪のきをロックすることで紛失リスクや指輪を回転による傷から守り、上蓋や溝自体に宝石などを見せるための開口部を儲け、ロックを解除することで着脱が容易に出来、８の部分にキーリングやネックレスなどあらゆる物に取り付けることでその用途は装飾品、衣服、バックなど場所を選ばない。【選択図】図１
2015071025.tif 000002
【特許請求の範囲】
【請求項１】
本体１と、上蓋２と、前記本体又は前記上蓋に設けられた接続部と、前記本体に設けられた一部に凹型を有する溝部と、前記溝の幅を調節する調節手段とを備え、前記溝部に指輪を挿入し上蓋で蓋うことを特徴とする指輪ホルダー。
【請求項２】
本体の凹型溝部分と相対するところの上蓋に装飾用窓を儲け特徴とする指輪ホルダー。
【請求項３】
本体と蓋との接続を維持するロック機構を有することを特徴とする請求項１又は請求項２に記載の指輪ホルダー。
【請求項４】
本体上に円周上に複数の溝部を有する請求項１記載の指輪ホルダー。
【発明の詳細な説明】
【技術分野】
【０００１】本発明は、指輪を指にはめる以外のアクセサリーとして活用するための事に関する。
【背景技術】
【０００２】従来指輪は指にはめていますが、指輪以外の用途が限られてしまい、急な取り外しなどはポケットなどにしまい、持ち運びはネックレスにリング部分を通して指輪自体に傷がついてしまうなど、紛失や消耗の多いもので本来の指にはめるという行為以外ではアクセサリーとしての役割が大きく損なわれるものでした。そして、ネックレスに簡単に取り付け、取り外しが出来るようなものが発明されましたが、ロック機能が希薄であることや指輪自体の形状に対しリングを装着する部分の空間がリングの曲線にあってない又はリングの回転に対して考慮されていない形状のものなので、指輪へのダメージが大きく指輪本体、指輪の装飾、宝石の損傷への配慮が不十分である。また、指輪のデザインを見せながらしっかりロックする機能が無い為、ネックレスへの装着と使用範囲が限られるものが多くありました。この改善策として指輪をケース状の物に入れて衣服等に取り付ける発明がありますが外観はほぼケースとなってしまい、指輪のデザイン性を著しく損なってしまっています。
【先行技術文献】
【特許文献】
【０００３】
【特許文献１】特開平０９−０５６４３０号公報
【特許文献２】特開  ２００８−０９３３２４号公報
【特許文献３】特開  ２００８−１１３９７０号公報
【特許文献４】特開  ２００９−０４５１０６号公報
【発明の概要】
【発明が解決しようとする課題】
【０００４】  以上に述べた使用法では、アクセサリーとしての機能及び指輪そのものの紛失リスクや指輪の素材や装飾、宝石類へのダメージがあること、ペンダントトップ以外にアクセサリーとして使用するにはロック機能や指輪のデザインに対しての配慮が不十分である。【０００５】  本発明は、このような従来からの指輪の形状を利用し、指にはめる以外での指輪のデザインをいかし、持ち運びと、取り外し、指輪本体や宝石類へのダメージを抑えることを実現することを目的とするものである。
【課題を解決するための手段】
【０００６】  本発明の指輪ホルダーは図１〜図９に示す様に本体（１）と上蓋（２）と本体蓋接続部（１１）からなる指輪ホルダーが形成され、凹形溝（４）上下調節体（５）はリングを保護のために円形溝に形成され内部に指輪（３）の宝石及び突起装飾を凹型溝（４）にはめる事により宝石及び装飾は常に上を向き保護され、装飾用窓（９）により外部から宝石及び装飾を見ることが出来、本体（１）と上蓋（２）が合わさることにより、ロック受け側（６）とロック鍵側（７）が合わさりロックされ、本体（１）に設置したロック解除部（１０）を操作することにより指輪（３）取り外しが出来、接続部（８）にネックレスや装飾品、カバン等に取り付ける部分が設けられてなるものである。【０００７】  本発明の指輪ホルダーは図１０〜図１２が示す様に本体（１）とクリップ形上下調節体（１２）クリップ凹形上下調節体（１６）からなる指輪ホルダー内部に、指輪（３）の一部分を収納可能なクリップ形上下調節体（１２）クリップ凹形上下調節体（１６）が形成され、同指輪収納部クリップ形上下調節体（１２）クリップ凹形上下調節体（１６）はリングを保護のために円形溝に形成され、クリップ凹形上下調節体（１６）に宝石や装飾をはめる事により宝石及び装飾は常に上を向き回転を防止し、回転による傷等から保護されクリップ凹形上下調節体（１６）に設けられた、装飾用窓（９）により外部から宝石及び装飾を見ることが出来、本体（１）とクリップ形上下調節体（１２）クリップ凸形上下調節体（１６）がスライドしロック受け側（６）とロック鍵（７）が合わさりロックされ、クリップ形上下調節体（１２）クリップ凹形上下調節体（１６）に設置したロック解除部（１０）を操作することによりネックレスやその他装飾品等に取り付けたまま指輪（３）取り外しが出来、接続部（８）にネックレスや装飾品、カバン等に取り付ける部分が設けられてなるものである。
【発明の効果】
【０００８】本発明の指輪ホルダーには次のような効果がある。
１  本体１に形成された凹形溝４により宝石は常に同じ位置で上を向き回転をおさえられ指輪本体は回転による傷等から保護され、上蓋２に取り付けられた装飾用窓９により宝石や装飾は保護され外観も華やかになる。
２  本体１と上蓋２、に取り付けられたロック機能により上蓋２を本体１に合わせるだけで簡単にロックすることが出来、ロック解除部分１０をシンプルな操作で手早く解除できるので取り付け取り外しは容易でさらに本体１と上蓋２にロック部分の凹凸が無いので衣服やその他装飾との引っかかりや小さな衝撃などでは簡単に解除されず、安心して取り付けることが出来る。
３  金属アレルギーの人でも指輪３が保護されているので、カバンやキーホルダー等肌に触れない場所につけて持ち運び宝石や装飾を楽しむことが出来る。
４  クリップや溝の形状で保護する部分露出させる部分等の選択が可能なので、自分の指輪の形状や外観として露出させたい部分などで指輪ホルダーの形状をえらべる。宝石や装飾の保護がもっとも重要と考える人にとっては装飾用窓が不必要な場合にも対応できる。
５  上下調節できる溝やクリップがあることにより一定の範囲の指輪の大きさに対応することが出来、中指用と薬指用と人差し指のように大幅にサイズが違わない場合は１つの指輪ホルダーで複数の指輪が対応できるので便利である。
【図面の簡単な説明】
【０００９】
【図１】本発明の第１の実施形態と示すものであり、指輪を装着し蓋を閉じた状態の正面の図
【図２】本発明の第１の実施形態と示すものであり、指輪を装着し蓋を開けた状態の正面の図
【図３】本発明の第１の実施形態と示すものであり、本体上蓋を閉めた状態の断面図
【図４】本発明の第２の実施形態と示すものであり、指輪を装着し蓋を閉じた状態の正面の図
【図５】本発明の第２の実施形態と示すものであり、指輪を装着し蓋を開けた状態の正面の図
【図６】本発明の第２の実施形態と示すものであり、本体上蓋を閉めた状態の断面図
【図７】本発明の第３の実施形態と示すものであり、指輪を装着し蓋を閉じた状態の正面の図
【図８】本発明の第３の実施形態と示すものであり、指輪を装着し蓋を開けた状態の正面の図
【図９】本発明の第３の実施形態と示すものであり、本体上蓋を閉めた状態の断面図
【図１０】本発明の第４の実施形態と示すものであり、指輪を装着しクリップでロックした状態の面の図
【図１１】本発明の第４の実施形態と示すものであり、指輪を装着下部クリップがロックされた状態の断面図
【図１２】本発明の第４の実施形態と示すものであり、クリップ凸形上下調節体  ａ指輪装着時正面  ｂ指輪装着時内部断面  ｃ側面
【図１３】本発明リングホルダーの凹型溝部にはめる指輪保護部品  ｄ宝石保護用部品  ｅ宝石装飾の無い指輪用部品
【発明を実施するための形態】
【００１０】  本発明の指輪ホルダーの第１の実施の形態を図１〜図３に基づいて詳細に説明する。図１〜図３の指輪ホルダーは宝石のついたシンプルな婚約指輪等を取り付けるのに適するものであり、指輪３の縦の幅を超える長さで形成された本体１それと相似形に形成され、本体蓋接続部１１により開閉可能に取り付けられた上蓋２とにより指輪ホルダーが形成されている。
【００１１】  本体１は金属、樹脂等により形成されており、その内部には上下に調節可能なリングの形状に合わせた凹形溝４、上下調節体５のほかにロック受け側６が形成されており、背面にロック解除部１０が形成されている。本体１の凹型溝４の調節手段として、本体１の上下調節体５はリングの６号から１０号の様に一定の規格に対応するためにバネ等１７で上下に調節できるように形成され、凹形溝４は宝石部分が入ることにより回転を止め常に宝石部分はその位置から動かず、常に上を向き保護され溝に隙間等が出来る場合はレザー等の保護材で装飾する又は宝石保護用部品ｄ宝石装飾の無い指輪用部ｅを取り付け可能に形成されている。
【００１２】  上蓋２も金属、樹脂等で形成されており、上蓋２に装飾用窓９が形成されており、装着時には宝石が装飾用窓９から見ることが出来る。装飾用窓９は宝石保護のためガラス等の透明なもので保護することも可能であり場合によっては金属、樹脂等の蓋を取り付けることも出来る。宝石の保護を最優先に考える場合には装飾用窓を設けないことも出来る。裏面にはロック鍵側７が形成されており、本体蓋接続部１１により本体１と合わさればロックの形状で本体１のロック受け側６が上蓋２のロック鍵側７に押し下げられロックされる仕組みである。そして本体１の裏側の溝部分に形成されたロック解除部分１０を引き下げることにより解除が可能である。ロック部分及びロック解除部分を指輪ホルダー外観になるべく凹凸なく形成することで、衣服や他の装飾品との引っかかりによるロック解除を防ぐように形成され、指輪ホルダーに取り付けられた接続部８にネックレスや装飾品カバンなどに取り付ける事が出来るよう形成されている。
【００１３】  本発明の指輪ホルダーの第２の実施の形態を図４〜図６に基づいて詳細に説明する。図４〜図６の装飾体宝石や装飾のついた指輪に適するものであり、実施例１と同様本体１と上蓋２と本体上蓋接続部１１によって指輪ホルダーが形成されており、本体１は金属、樹脂等により形成されており、その内部には上下に調節可能なリングの形状に合わせた凹形溝４、上下調節体５のほかにロック受け側６が形成されており、背面にロック解除部１０が形成されている。本体１の凹型溝４の調節手段として、本体１の上下調節体５はリングの６号から１０号の様に一定の規格に対応するためにバネ等１７で上下に調節できるように形成され、凹形溝４は宝石部分が入ることにより回転を止め常に宝石部分はその位置から動かず、常に上を向き保護され溝に隙間等が出来る場合はレザー等の保護材で装飾する又は宝石保護用部品ｄ宝石装飾の無い指輪用部ｅを取り付け可能に形成されている。
【００１４】  図４図６の上蓋２は金属、樹脂等で形成されており、上蓋２に装飾用窓９が形成されており、装着時には宝石が装飾用窓９から見ることが出来る。装飾用窓９は宝石保護のためガラス等の透明なもので保護することも可能であり場合によっては金属、樹脂等の蓋を取り付けることも出来る。宝石保護を最重要とする場合は装飾用窓を付けないこともできる。裏面には、ロック鍵側７が形成されており、本体蓋接続部１１により本体１と合わさればロックの形状で本体１のロック受け側６が上蓋２のロック鍵側７に押し下げられロックされる仕組みである。そして本体１の裏側の溝部分に形成されたロック解除部分１０を引き下げることにより解除が可能である。ロック部分及びロック解除部分を指輪ホルダー外観になるべく凹凸なく形成することで、衣服や他の装飾品との引っかかりによるロック解除を防ぐように形成され、指輪ホルダーに取り付けられた接続部８にネックレスや装飾品カバンなどに取り付ける事が出来るよう形成されている。
【００１５】  本発明の指輪ホルダーの第３の形態を図７〜図９に基づいて説明する。図７〜図９の指輪ホルダーは宝石のついた婚約指輪や結婚指輪等に適するものである。本体１は金属、樹脂等により形成されており、その内部にはリングの形に合わせ形成され上下に調節可能な凹形溝４のほかにリングの形に合わせ形成された上下調節体５が複数形成されロック受側６が形成されており、背面にロック解除部１０が形成されている。本体１の凹型溝４、その他の溝の調節手段として、本体１の上下調節体５はリングの６号から１０号の様に一定の規格に対応するためにバネ等１７で上下に調節できるように形成され、凹形溝４は宝石部分が入ることにより回転を止め常に宝石部分はその位置から動かず常に上を向き保護され凹形溝４に隙間等が出来る場合はレザー等の保護材又は宝石保護用部品ｄ宝石装飾の無い指輪用部品ｅを取り付け可能に形成されている。又溝を指輪の形に合わせて円周上に複数溝と上下調節体、使用すれば十字型等さまざまな形でリングを露出させながら保護することが可能になる。複数溝の場合はリングサイズが決まっている場合などは上下調節体５は指輪３の回転と宝石やその他装飾を保護できる場合は一個でも良い。
【００１６】  図７の上蓋２も金属、樹脂等で形成されており、上蓋２に装飾用窓９が形成されており、装着時には宝石が装飾用窓９から見ることが出来る。装飾用窓９は宝石保護のためガラス等の透明なもので保護することも可能であり場合によっては金属、樹脂等の蓋を取り付けることも出来る。宝石等の保護を最重要とする場合は装飾用窓は無くても良い。裏面にはロック鍵側７が形成されており、本体蓋接続部１１により本体１と合わさればロックの形状で本体１のロック受け側６が上蓋２のロック鍵側７に押し下げられロックされる仕組みである。そして本体１の裏側の溝部分に形成されたロック解除部分１０を引き下げることにより解除が可能である。ロック部分及びロック解除部分を指輪ホルダー外観になるべく凹凸なく形成することで、衣服や他の装飾品との引っかかりによるロック解除を防ぐように形成され、指輪ホルダーに取り付けられた接続部８にネックレスや装飾品カバンなどに取り付ける事が出来るよう形成されている。
【００１７】  本発明の指輪ホルダーの第４の実施の形態を図１０〜図１２に基づいて詳細に説明する。図１０〜図１２の指輪ホルダーは宝石のついたシンプルな婚約指輪等や側面や内面に装飾がある指輪を取り付けるのに適するものであり、指輪３を囲む形で金属、樹脂等で形成された本体１と指輪３と宝石や装飾を保護するために指輪３の形状にあわせ金属、樹脂等で形成されたクリップ凹形上下調節体１６・クリップ形上下調節体１２で指輪ホルダーが形成されている。
【００１８】  図１１本体１は金属、樹脂等により形成されており、その側面には、リングの形状にあわせ形成されたクリップ凹形上下調節体１６クリップ形上下調節体１２の形にあわせ形成された本体１の溝部分があり、溝部分にはロック受け側６と本体１内部に取り付けられたクリップ落下防止１５があり、指輪３の形状にあうように形成されたクリップ凹形上下調節体１６は宝石や装飾部分が入ることにより回転を止め常に宝石部分はその位置から動かず常に上を向き保護され溝に隙間等が出来る場合はレザー等の保護材又は宝石保護用部品ｄ宝石装飾の無い指輪用部品ｅを取り付け可能に形成されている。
【００１９】  クリップ凹形上下調節体１６・クリップ形上下調節体１２も金属、樹脂等で形成されており、クリップ凹形上下調節体１６表部分に装飾用窓９が形成されており、装着時には宝石が装飾用窓９から見ることが出来る。装飾用窓９は宝石保護のためガラス等の透明なもので保護することも可能であり場合によっては金属、樹脂等の蓋を取り付けることも出来る。宝石保護を最重要とする場合は装飾用窓は無くてもよい。クリップ凹形上下調節体１６・クリップ形上下調節体１２裏面にはロック鍵側７とロック鍵側７を稼動させるために形成されたクリップ接続部１４が形成されて、クリップ接続部１４には洗濯ばさみのように機能するためのバネ等１７が設置されている。本体１のロック受け側６にクリップ凹形上下調節体１６・クリップ形上下調節体１２ロック鍵側７を指輪３の方向へスライドさせることにより、本体１とクリップ凹形上下調節体１６・クリップ形上下調節体１２の間に設置されたバネ等１７の反発する力によりロックされる仕組みである。そしてクリップ凹形上下調節体１６・クリップ形上下調節体１２に形成されたロック解除部分１０をつまみあげることにより解除が可能である。ロック部分を指輪ホルダー外観になるべく凹凸なく形成することで、衣服や他の装飾品との引っかかりによるロック解除を防ぐように形成され、解除部分１０は物などが当たった場合でも解除されないようクリップ接続部１４は２つ形成され片側のみでの解除部分１０の操作では解除されず、又リング保護ストッパー１３の設置により解除部分１０が指輪３へ直接あたることを防止する。クリップ凹形上下調節体１６と宝石や指輪の間に隙間等が出来る場合はレザー等の保護材又は宝石保護用部品ｄ宝石装飾の無い指輪用部品ｅを取り付け可能に形成されている。
【００２０】  指輪ホルダーに取り付けられた接続部８にネックレスや装飾品カバンなどに取り付ける事が出来るよう形成されている。本体１は指輪を囲うように形成されているためキーホルダー等のほかの装飾とのこすれによる指輪３の外部損傷からの保護ができるよう形成されている。
【００２１】  図１３の宝石保護用部品ｄ宝石装飾の無い指輪用部品ｅは金属、樹脂等形成され、実施例１から実施例４の凹型溝４クリップ内の凹型溝にぴったりとはまる形になっており、宝石保護用部品ｄの凹型溝内部にはレザーやゴム、スポンジなどのあらゆる保護材を取り付けることが出来、溝部分と宝石の隙間をなくすように形成され保護材を凹型溝４クリップ凹形上下調節体１６から簡単に取り外しが出来るようにし、清潔に使用できるようにすることができ、宝石の保護を最大の目的とし宝石の大きさによる溝を埋めることにより保護機能を高めるためにもうけられている。
【００２２】  図１３の宝石装飾の無い指輪用部品ｅは金属、樹脂等形成され、実施例１から実施例４の凹型溝４クリップ内の凹型溝にぴったりとはまる形になっており、シンプルな装飾の無い指輪３や宝石がほぼ本体に埋め込まれているタイプの指輪３のためにもうけており、指輪に直接あたる部分はレザーやゴムスポンジなどの保護材が取り付けられており、保護材と上下調節体５・クリップ凹形上下調節体１６の抑える力により回転を押さえ本体や埋め込まれた宝石等を保護するためにもうけられている。また装飾用窓がある場合は装飾用窓と対になる面に印刷、貼り付け、彫金等がされたものが見えるようになり取り付けることで外観は華やかになる。
【産業上の利用可能性】
【００２３】  指輪としてのみならず持ち運べるアクセサリーとして利用することが可能になれば従来の指輪の重要も増えるほかに。デザインを統一させたホルダーと指輪のニーズも出てきます。一体型のデザイン指輪とホルダーも創作可能になり、デザインの幅が従来の指輪ではデザインしきれなかった部分まで広がります。
【符号の説明】
【００２４】  １  本体
２  上蓋
３  指輪
４  凹形溝
５  上下調節体
６  ロック受け側
７  ロック鍵側
８  接続部
９  装飾用窓
１０  ロック解除部
１１  本体蓋接続部
１２  クリップ形上下調節体
１３  リング保護ストッパー
１４  クリップ接続部
１５  クリップ落下防止
１６  クリップ凹形上下調節体
１７  バネ等
１８  保護材
Ａ  断面位置
ａ  クリップ凹型上下調節体上部前面
ｂ  クリップ凹型上下調節体上部断面
ｃ  クリップ凹型上下調節体上部横面
ｄ  宝石保護用部品
ｅ  宝石装飾の無い指輪用部品
【図１】
2015071025.tif 000003
【図２】
2015071025.tif 000004
【図３】
2015071025.tif 000005
【図４】
2015071025.tif 000006
【図５】
2015071025.tif 000007
【図６】
2015071025.tif 000008
【図７】
2015071025.tif 000009
【図８】
2015071025.tif 000010
【図９】
2015071025.tif 000011
【図１０】
2015071025.tif 000012
【図１１】
2015071025.tif 000013
【図１２】
2015071025.tif 000014
【図１３】
2015071025.tif 000015